【事件の表示】
　特許第６５２６２７１号発明「分離式センサ装置」の特許異議申立事件について、次のとおり決定する。
【結　論】
　特許第６５２６２７１号の特許請求の範囲を令和２年１０月２２日付け手続補正書により補正された訂正請求書に添付された訂正特許請求の範囲のとおり、訂正後の請求項〔１−５〕について訂正することを認める。
　特許第６５２６２７１号の請求項１、５に係る特許を維持する。
【理　由】
第１　手続の経緯
　特許第６５２６２７１号（以下「本件特許」という。）について、その手続の経緯は、以下のとおりである。
　平成３０年　２月１３日　　：特許出願
　令和　元年　５月１７日　　：特許権の設定登録
　令和　元年　６月　５日　　：特許掲載公報の発行
　令和　元年１２月　４日　　：特許異議申立書の提出（請求項１、５に対して）（特許異議申立人：池田　有希）
　令和　２年　２月２７日付け：取消理由通知書
　令和　２年　６月　１日　　：訂正請求書及び意見書の提出（特許権者）
　令和　２年　８月２７日付け：訂正拒絶理由通知書
　令和　２年１０月２２日　　：手続補正書及び意見書の提出（特許権者）
　令和　２年１２月１８日　　：意見書の提出（特許異議申立人）
第２　訂正の適否
１　訂正請求書の補正の適否
　令和２年６月１日に提出された訂正請求書及びこれに添付した訂正特許請求の範囲は、令和２年１０月２２日に提出された手続補正書により補正されたので、当該補正の適否について検討する。
（１）補正の内容
　訂正請求書の「６　請求の理由」「（２）訂正事項」において「Ｂ　訂正事項２」に示された訂正事項を削除し、それに合わせて「６　請求の理由」「（３）訂正の理由」において「訂正事項２」に関する箇所を削除するものである。
（２）補正の適否
　前記（１）の補正は、訂正事項を削除するものであり、訂正請求書の要旨を変更するものではないから、特許法１２０条の５第９項において準用する同法１３１条の２第１項の規定に適合するものであり、当該補正は認められる。
２　訂正の内容
　令和２年１０月２２日に付け手続補正書により補正された訂正請求書による訂正（以下「本件訂正」という。）は、本件特許の特許請求の範囲を以下のとおり訂正することを求めるものである。
　なお、本件訂正請求は、一群の請求項〔１−５〕に対して請求されたものである。
　訂正事項１
　特許請求の範囲の請求項１に「前記直線伝動素子の移動部材に設置されるセンサユニット」と記載されているのを、「前記直線伝動素子の移動部材に設置されるセンサユニット
であって、前記センサは、温度又は振動センサである、センサユニット
　また、請求項１の記載を引用する請求項２〜５も同様に訂正する。
３　訂正の目的の適否、新規事項の有無及び特許請求の範囲の拡張・変更の存否
　訂正事項１は、本件訂正前の請求項１の「センサユニット」が有する「センサ」について、「温度又は振動センサ」であることを限定するものであるから、この訂正は特許請求の範囲の減縮を目的とするものに該当する。
　そして、この訂正は、本件特許の願書に添付した特許請求の範囲の請求項１に記載した事項及び次に示す明細書の段落【００１１】及び【００１８】に記載した事項に基づくものであるから、新規事項の追加に該当せず、実質上特許請求の範囲を拡張し、又は変更するものではない。
「【００１１】
　図１及び図２に示すように、センサユニット１０は、センサ筐体１１と、センサ１２とを有する。・・・（中略）・・・センサチップ１２２は、温度の検出に用いられる。センサチップ１２２は、外伸部１１４内に位置する。」
「【００１８】
　なお、上記実施形態では、センサチップ１２２は温度を検出するものであるが、センサチップは振動、トルク又は他のパラメータを検出するものであってもよい。」
　してみると、訂正事項１の訂正は、特許請求の範囲の減縮を目的とし、新規事項の追加に該当せず、実質上特許請求の範囲を拡張し、又は変更するものではない。
４　独立特許要件
　この特許異議の申立てにおいては、請求項１、５について特許異議の申立てがされているので、本件訂正後の請求項１、５に記載されている事項により特定される発明について、特許法１２０条の５第９項において読み替えて準用する同法１２６条７項に規定する独立特許要件は課されない。
　一方、請求項２〜４について特許異議の申立てはされておらず、また、請求項２〜４についての訂正は、上記３において検討したとおり、特許請求の範囲の減縮を目的とするものに該当するところ、本件訂正後の請求項２〜４に記載されている事項により特定される発明について、特許法１２０条の５第９項において読み替えて準用する同法１２６条７項に規定する独立特許要件を満足するか検討すると、次のとおりである。
　本件訂正後の請求項１に係る発明の特許は、後記第４のとおり、取消理由通知書に記載した取消理由によって取り消すことはできないものであり、また、後記第５のとおり、取消理由通知において採用しなかった特許異議申立理由によって取り消すこともできないものであるから、本件訂正後の請求項１に係る発明を直接又は間接的に引用してさらに限定した本件訂正後の請求項２〜４に係る発明は、独立特許要件を満足すると認められる。
５　小括
　以上のとおりであるから、本件訂正は、特許法１２０条の５第２項ただし書１号に掲げる事項を目的とするものであり、かつ、同条９項において準用する同法１２６条５項及び６項並びに同条９項において読み替えて準用する同法１２６条７項の規定に適合する。
　したがって、本件特許の特許請求の範囲を、令和２年１０月２２日付け手続補正書により補正された訂正請求書に添付された訂正特許請求の範囲のとおり、訂正後の請求項〔１−５〕について訂正することを認める。
第３　訂正後の本件発明
　本件訂正後の請求項１、５に係る発明（以下、それぞれ「本件発明１」、「本件発明５」という。）は、令和２年１０月２２日付け手続補正書により補正された訂正請求書に添付された訂正特許請求の範囲の請求項１、５に記載された次の事項により特定されるとおりのものである。
「【請求項１】
　直線伝動素子に設置される分離式センサ装置であって、
　センサ筐体と、前記センサ筐体内に設置されるセンサとを有し、前記直線伝動素子の移動部材に設置されるセンサユニットであって、前記センサは、温度又は振動センサである、センサユニットと、
　処理筐体と、前記処理筐体内に設置される処理器とを有し、前記センサユニットと別体に構成される処理ユニットと、
　前記センサユニットの前記センサと前記処理ユニットの前記処理器との間に電気的に接続される接続ユニットと、
　前記処理ユニットの前記処理器と外部装置との間に電気的に接続される伝送ユニットと、を主に含む 
　分離式センサ装置。
　【請求項５】
　請求項１に記載の分離式センサ装置であって、
　前記センサは、センサ回路基板と、センサチップと、を有し、
　前記センサ回路基板は、前記センサ筐体内に設置され、
　前記センサチップは、前記センサ回路基板に設置され、
　前記処理器は、処理回路基板と、処理チップと、を有し、
　前記処理回路基板は、前記処理筐体内に設置され、
　前記処理チップは、前記処理回路基板に設置され、
　前記処理チップは、演算に用いられる 
　分離式センサ装置。」
第４　取消理由通知書に記載した取消理由について
１　取消理由の概要
　本件訂正前の請求項１、５に係る特許に対して、当審が令和２年２月２７日に特許権者に通知した取消理由の要旨は、次のとおりである。
（１）理由１（新規性）
　本件特許の請求項１、５に係る発明は、その出願前に日本国内又は外国において、頒布された下記の刊行物に記載された発明又は電気通信回線を通じて公衆に利用可能となった発明であるから、上記請求項に係る特許は、特許法２９条１項の規定に違反してされたものであり、取り消されるべきものである。
（２）理由２（進歩性）
　本件特許の請求項１、５に係る発明は、その出願前に日本国内又は外国において、頒布された下記の刊行物に記載された発明又は電気通信回線を通じて公衆に利用可能となった発明に基づいて、その出願前にその発明の属する技術の分野における通常の知識を有する者が容易に発明をすることができたものであるから、上記請求項に係る特許は、特許法２９条２項の規定に違反してされたものであり、取り消されるべきものである。
　　　　　　　　　　　　　　　　記
引用文献１：
　シュネーベルガー社の製品カタログ「MINI-X MINIRAIL MINISCALE PLUS MINISLIDE Product catalog 2017」, SCHNEEBERGER LINEAR TECHNOLOGY, 2017, p.16,44-49
引用文献２：
　シュネーベルガー社の製品カタログ，“MINI-X MINIRAIL MINISCALE PLUS MINISLIDE Product catalog 2015”, [online], 2015年, ［令和２年２月１４日検索］，インターネット
＜URL:https://www.schneeberger.com/fileadmin/documents/downloadcenter/01_product_catalogues_company_brochures/01_Linear-_and_profiled_guideways/02_Miniature_guideways/MINI-X_EN_low.pdf＞, p.16,40-45
２　引用文献に記載された事項
（１）引用文献１について
ア　引用文献１には、次の事項が記載されている。（下線および翻訳文は当審が付した。）
（ア）「6.6.2 Short Strokes with MINIRAIL and MINISCALE PLUS
In the starting position (1), only the ball bearings directly under load are lubricated. Once t
he carriage moves to the right (2)
（翻訳文：
6.6.2 MINIRAILとMINISCALE PLUSの短いストローク
　開始位置(1)では、直接負荷がかかっているボールベアリングのみが潤滑される。
キャリッジが右(2)に移動する
（イ）「10.2.4 MINISCALE PLUS Components and Working Method
MINISCALE PLUS is an optical, incremental measuring system that consists of the MINIRAIL guide system and the following additional components:
A Dimensional scale on the guide rail
B Optical sensor on the carriage
C Flexible Sensor Print
D Interface module
The control cable E with D-Sub 9 connector must be supplied by the customer
　　　　　　　　　　　　　・・・＜略＞・・・
Dimensional scale and optical sensor
The high-precision dimensional scale is part of the hardened guideway's surface with a scale increment of 100 μm.
The raw signals supplied by the sensor are processed by the interface module.
（翻訳文：
10.2.4 MINISCALE PLUSの構成および動作方法
　
MINISCALE PLUSは、MINIRAILガイドシステムと次の追加的な構成からなる光学式のインクリメンタル測定システムである：
　
A ガイドレール上の寸法目盛り
　
B キャリッジ上の光学式センサ
　
C フレキシブルセンサプリント
　
D インターフェースモジュール
　
D-Sub 9コネクター付きの制御ケーブルEは、顧客によって用意され
　　　　　　　　　　　　　・・・＜略＞・・・
寸法目盛りと光学式センサ
　
高精度な寸法目盛りは、100μmの目盛りのインクリメントで高硬度なガイドウェイ上の表面の一部に形成されている。
センサによって供給される生の信号は、インターフェースモジュールによって処理される。
（ウ）「Interface module
The raw signals are processed by the interface module and converted to standard output signals.
　　　　　　　　　　　　　・・・＜略＞・・・
The interface modules are available in the following structural types:
With housing
With D-Sub 9connector
Order designation: MG
(Standard)」（第４５頁第１−１７行）
（翻訳文：
インターフェースモジュール
　
生の信号は、インターフェースモジュールで処理され、標準出力信号に変換される。
　　　　　　　　　　　　　・・・＜略＞・・・
　
次の構造タイプの中でインターフェースモジュールが利用可能である。
　
ハウジング付き
　
D-Sub 9コネクター付き
　注文コード：MG
　（標準））
（エ）「10.2.5 Signal Processing
　　　　　　　　　　　　　・・・＜略＞・・・
Analog output format:
Differential, sin/cos analog signals with reference pulse 1 Vpp (at 120Ω).
The incremental signals sine and cosine are shifted 90° and correlated with the markings on the encoded scale. An electrical signal period (360°) corresponds precisely to the scale increment of the dimensional scale, which is 100 μm.
The reference pulse always marks electronically the same section of the path of the sine and cosine signals. The point of intersection of the two signals within the reference pulse therefore marks a precisely defined position on the dimensional scale.
The sine signal either lags behind the cosine signal or occurs before it, depending on the direction of movement.」（第４６頁第１−１４行）
（翻訳文：
10.2.5 信号処理
　　　　　　　　　　　　　・・・＜略＞・・・
アナログ出力フォーマット：
　基準パルス1Vpp(120Ωで)を有する差分のsin/cosアナログ信号。
　
インクリメンタル信号であるサインとコサインは90°シフトされ、符号化された目盛り上のマーキングと相関関係を有する。電気信号の周期(360°)は、100μmである寸法目盛りの増加に対して正確に一致する。
　
基準パルスは、常にサインとコサインの信号の経路の同じセクションを電子的にマークする。したがって、基準パルス内の２つの信号の交点は、寸法目盛り上の正確に規定された位置をマークする。
　移動方向に依存して、サイン信号はコサイン信号より遅れるか、または、その前に生じる。）
イ　引用文献１には以下の図および表が示されている。
（ア）「 
」（第１６頁）
（イ）「
」（第４４頁）
（ウ）「 
」（第４４頁）
（エ）「
」（第４５頁）
（オ）「
」（第４５頁）
（カ）「
」（第４６頁）
（キ）「
」（第４８頁）
（ク）「
」（第４９頁）
（ケ）「
」（第４９頁）
ウ　上記事項から、引用文献１には以下のことが記載されていると認められる。
（ア）MINIRAILガイドシステムと、ガイドレール上の寸法目盛りA、キャリッジ上の光学式センサB、フレキシブルセンサプリントC、および、インターフェースモジュールDの構成からなる光学式のインクリメンタル測定システムとを含むMINISCALE PLUSと、D-Sub 9コネクター付きの制御ケーブルEとを有する装置（上記「ア（イ）」参照）。
（イ）MINISCALE PLUSにおいて、キャリッジが移動すること（上記「ア（ア）」、「イ（ア）」、「イ（イ）」参照）。
（ウ）MINISCALE PLUSの信号処理のアナログ出力フォーマットに関して、インクリメンタル信号であるサインとコサインは90°シフトされ、符号化された目盛り上のマーキングと相関関係を有し、電気信号の周期(360°)は、100μmである寸法目盛りの増加に対して正確に一致しており、基準パルスは、常にサインとコサインの信号の経路の同じセクションを電子的にマークし、基準パルス内の２つの信号の交点は、寸法目盛り上の正確に規定された位置をマークすること（上記「ア（エ）」、「イ（カ）」参照）。
（エ）ガイドレールのガイドウェイ上に形成されている寸法目盛りAは、基準のマークを有する基準トラックと、複数のマークを有するインクリメンタルトラックで構成されていること（上記「ア（イ）」、「イ（ウ）」、「イ（キ）」参照）。
 
（オ）MINISCALE PLUSは、寸法目盛りAを有するガイドレールと、移動するキャリッジから構成されていること（上記（ア）、（イ）より）、MINISCALE PLUSの出力信号は、符号化された目盛り上のマーキングと相関関係を有するサインとコサインの出力信号であり、電気信号の周期(360°)は、100μmである寸法目盛りの増加に対して正確に一致していること（上記「（ウ）」）、そして、ガイドレールのガイドウェイ上に形成されている寸法目盛りAは、基準のマークを有する基準トラックと、複数のマークを有するインクリメンタルトラックで構成されていること（上記「（エ）」より）を踏まえると、MINISCALE PLUSにおける、ガイドレール、ガイドレール上の寸法目盛りA、および、キャリッジ上の光学式センサBは、リニアスケールを構成するものであると認められる。
（カ）フレキシブルセンサプリントCは、キャリッジとインターフェースモジュールDとを接続していること（上記「イ（イ）」参照）。
（キ）光学式センサBによって供給される生の信号は、インターフェースモジュールDによって処理され、標準出力信号に変換されること（上記「ア（イ）」、「ア（ウ）」参照）。
（ク）上記「（カ）」、「（キ）」より、フレキシブルセンサプリントCは、光学式センサBによって供給される生の信号をインターフェースモジュールDに送信するために、光学式センサBとインターフェースモジュールDとの間に電気的に接続されているものと認められる。
（ケ）D-Sub 9コネクター付きの制御ケーブルEは、顧客によって用意され、インターフェースモジュールDに対して接続されること（上記「ア（イ）」「イ（イ）」参照）。
（コ）ハウジング付きでD-Sub 9コネクター付きのインターフェースモジュールDが利用可能であること（上記「ア（ウ）」、「イ（エ）」、「イ（オ）」参照）。
（サ）D-Sub 9コネクターの端子は、アナログインターフェースモジュール出力である４相信号Ua1-、４相信号Ua2-、基準信号Ua0、４相信号Ua1+、４相信号Ua2+、基準信号Ua0+と、供給電圧+5V DCとを含んでいること（上記「イ（カ）」、「イ（ク）」、「イ（ケ）」参照）。
（シ）上記「（ケ）」〜「（サ）」より、インターフェースモジュールDのD-Sub 9コネクターと、制御ケーブルEのD-Sub 9コネクターとが接続されており、アナログインターフェースモジュール出力である４相信号Ua1-、４相信号Ua2-、基準 信号Ua0、４相信号Ua1+、４相信号Ua2+、基準信号Ua0+が、制御ケーブルEを介してインターフェースモジュールDから外部に出力され、供給電圧+5V DCが、制御ケーブルEを介して外部からインターフェースモジュールDに入力されているものと認められる。
エ　上記「ウ」より、引用文献１には、次のとおりの発明（以下「引用発明１」という。）が記載されているものと認められる。
「MINIRAILガイドシステムと、ガイドレール上の寸法目盛りA、キャリッジ上の光学式センサB、フレキシブルセンサプリントC、および、ハウジング付きでD-Sub 9コネクター付きのインターフェースモジュールDの構成からなる光学式のインクリメンタル測定システムとを含むMINISCALE PLUSと、制御ケーブルEとを有する装置であって（上記「ウ（ア）」、「ウ（コ）」参照）、
　ガイドレール、ガイドレール上の寸法目盛りA、および、キャリッジ上の光学式センサBは、リニアスケールを構成するものであり（上記「ウ（オ）」参照）、
　フレキシブルセンサプリントCは、光学式センサBによって供給される生の信号をインターフェースモジュールDに送信するために、光学式センサBとインターフェースモジュールDとの間に電気的に接続されており（上記「ウ（ク）」参照）、
　光学式センサBによって供給される生の信号は、インターフェースモジュールDによって処理され、標準出力信号に変換され（上記「ウ（キ）」参照）、
　インターフェースモジュールDのD-Sub 9コネクターと、制御ケーブルEのD-Sub 9コネクターとが接続されており、アナログインターフェースモジュール出力である４相信号Ua1-、４相信号Ua2-、基準信号Ua0、４相信号Ua1+、４相信号Ua2+、基準信号Ua0+が、制御ケーブルEを介してインターフェースモジュールDから外部に出力され、供給電圧+5V DCが、制御ケーブルEを介して外部からインターフェースモジュールDに入力されている（上記「ウ（シ）」参照）、
　装置（上記「ウ（ア）」参照）。」
（２）引用文献２について
ア　引用文献２には、次の事項が記載されている。（下線および翻訳文は当審が付した。）
（ア）「6.6.2 Short Strokes with MINIRAIL and MINISCALE PLUS
In the starting position (1), only the ball bearings directly under load are lubricated. Once 
the carriage moves to the right (2)
（翻訳文：
6.6.2 MINIRAILとMINISCALE PLUSの短いストローク
　開始位置(1)では、直接負荷がかかっているボールベアリングのみが潤滑される。
キャリッジが右(2)に移動する
（イ）「10.2.2 MINISCALE PLUS Components and Working Method
MINISCALE PLUS is an optical, incremental measuring system that consists of the MINIRAIL guide system and the following additional components:
A Dimensional scale on the guide rail
B Optical sensor on the carriage
C Flexible Print
D Interface module with D-Sub 9 connector
The control cable E with D-Sub 9 connector must be supplied by the customer
　　　　　　　　　　　　　・・・＜略＞・・・
Dimensional scale and optical sensor
The high-precision dimensional scale is part of the hardened guideway's surface with a scale increment of 100 μm.
The sensor illuminates the dimensional scale and records the optical signals. 
The raw signals supplied by the sensor are processed by the interface module.
（翻訳文：
10.2.2 MINISCALE PLUSの構成および動作方法
　
MINISCALE PLUSは、MINIRAILガイドシステムと次の追加的な構成からなる光学式のインクリメンタル測定システムである：
 
　
A ガイドレール上の寸法目盛り
　
B キャリッジ上の光学式センサ
　
C フレキシブルプリント
　
D D-Sub 9コネクター付きのインターフェースモジュール
　
D-Sub 9コネクター付きの制御ケーブルEは、顧客によって用意され
　　　　　　　　　　　　　・・・＜略＞・・・
寸法目盛りと光学式センサ
　
高精度な寸法目盛りは、100μmの目盛りのインクリメントで高硬度なガイドウェイ上の表面の一部に形成されている。
　センサは寸法目盛りに照明し、光信号を記録する。
センサによって供給される生の信号は、インターフェースモジュールによって処理される。
（ウ）「Interface module
The raw signals are processed by the interface module and supplied to the customer's control system in either analog or digital form.
　　　　　　　　　　　　　・・・＜略＞・・・
C Flexible print
D The electronics are in the red housing with D-Sub 9 connector.
F ZIF connector
G Green LED
H Red LED
l Calibration key (only on digital interface module)」（第４１頁第１−１
２行）
（翻訳文：
インターフェースモジュール
　
生の信号は、インターフェースモジュールで処理され、アナログ又はデジタルの形式で顧客の制御システムに供給される。
　　　　　　　　　　　　　・・・＜略＞・・・
C フレキシブルプリント
D 
D-Sub 9コネクター付きの赤いハウジングの電子機器。
F ＺＩＦコネクター
G 緑ＬＥＤ
H 赤LED
l キャリブレーションキー（デジタルインターフェース上のみ)）
（エ）「10.2.3 Signal Processing
　　　　　　　　　　　　　・・・＜略＞・・・
Analog output format:
Differential, sin/cos analog signals with reference pulse 1 Vpp (at 120 Ω).
The incremental signals sine and cosine are shifted 90° and correlated with the markings on the encoded scale. An electrical signal period (360°) corresponds precisely to the scale increment of the dimensional scale, which is 100 μm.
The reference pulse always marks electronically the same section of the path of the sine and cosine signals. The point of intersection of the two signals within the reference pulse therefore marks a precisely defined position on the dimensional scale.
The sine signal either lags behind the cosine signal or occurs before it, depending on the direction of movement.」（第４２頁第１−１４行）
（翻訳文：
10.2.3 信号処理
　　　　　　　　　　　　　・・・＜略＞・・・
アナログ出力フォーマット：
　基準パルス1Vpp(120Ωで)を有する差分のsin/cosアナログ信号。
　
インクリメンタル信号であるサインとコサインは90°シフトされ、符号化された目盛り上のマーキングと相関関係を有する。電気信号の周期(360°)は、100μmである寸法目盛りの増加に対して正確に一致する。
　
基準パルスは、常にサインとコサインの信号の経路の同じセクションを電子的にマークする。したがって、基準パルス内の２つの信号の交点は、寸法目盛り上の正確に規定された位置をマークする。
　移動方向に依存して、サイン信号はコサイン信号より遅れるか、または、その前に生じる。）
イ　引用文献２には以下の図および表が示されている。
（ア）「
」（第１６頁）
（イ）「
」（第４０頁）
（ウ）「
」（第４０頁）
（エ）「
」（第４１頁）
 
（オ）「
」（第４１頁）
（カ）「
」（第４２頁） 
（キ）「
」（第４４頁）
（ク）「
」（第４５頁）
ウ　上記事項から、引用文献２には以下のことが記載されていると認められる。
（ア）MINIRAILガイドシステムと、ガイドレール上の寸法目盛りA、キャリッジ上の光学式センサB、フレキシブルプリントC、および、D-Sub 9コネクター付きのインターフェースモジュールDの構成からなる光学式のインクリメンタル測定システムとを含むMINISCALE PLUSと、D-Sub 9コネクター付きの制御ケーブルEとを有する装置（上記「ア（イ）」参照）。
（イ）MINISCALE PLUSにおいて、キャリッジが移動すること（上記「ア（ア）」、「イ（ア）」、「イ（イ）」参照）。
（ウ）MINISCALE PLUSの信号処理のアナログ出力フォーマットに関して、インクリメンタル信号であるサインとコサインは90°シフトされ、符号化された目盛り上のマーキングと相関関係を有し、電気信号の周期(360°)は、100μmである寸法目盛りの増加に対して正確に一致しており、基準パルスは、常にサインとコサインの信号の経路の同じセクションを電子的にマークし、基準パルス内の２つの信号の交点は、寸法目盛り上の正確に規定された位置をマークすること（上記「ア（エ）」、「イ（カ）」参照）。
（エ）ガイドレールのガイドウェイ上に形成されている寸法目盛りAは、基準のマークを有する基準トラックと、複数のマークを有するインクリメンタルトラックで構成されていること（上記「ア（イ）」、「イ（ウ）」、「イ（キ）」参照）。
（オ）MINISCALE PLUSは、寸法目盛りAを有するガイドレールと、移動するキャリッジから構成されていること（上記（ア）、（イ）より）、MINISCALE PLUSの出力信号は、符号化された目盛り上のマーキングと相関関係を有するサインとコサインの出力信号であり、電気信号の周期(360°)は、100μmである寸法目盛りの増加に対して正確に一致していること（上記「（ウ）」）、そして、ガイドレールのガイドウェイ上に形成されている寸法目盛りAは、基準のマークを有する基準トラックと、複数のマークを有するインクリメンタルトラックで構成されていること（上記「（エ）」より）を踏まえると、MINISCALE PLUSにおける、ガイドレール、ガイドレール上の寸法目盛りA、および、キャリッジ上の光学式センサBは、リニアスケールを構成するものであると認められる。
（カ）フレキシブルプリントCは、キャリッジとインターフェースモジュールDとを接続していること（上記「イ（イ）」参照）。
（キ）光学式センサBによって供給される生の信号は、インターフェースモジュールDで処理され、アナログ又はデジタルの形式で顧客の制御システムに供給されること（上記「ア（イ）」、「ア（ウ）」参照）。
（ク）上記「（カ）」、「（キ）」より、フレキシブルプリントCは、光学式センサBによって供給される生の信号をインターフェースモジュールDに送信するために、光学式センサBとインターフェースモジュールDとの間に電気的に接続されているものと認められる。
（ケ）D-Sub 9コネクター付きの制御ケーブルEは、顧客によって用意され、インターフェースモジュールDに対して接続されること（上記「ア（イ）」「イ（イ）」参照）。
（コ）D-Sub 9コネクター付きのインターフェースモジュールDは、ハウジングを有していること（上記「ア（ウ）」、「イ（エ）」、「イ（オ）」参照）。
（サ）D-Sub 9コネクターの端子は、アナログインターフェースモジュール出力である４相信号Ua1-、４相信号Ua2-、基準信号Ua0、４相信号Ua1+、４相信号Ua2+、基準信号Ua0+と、供給電圧+5V DCとを含んでいること（上記「イ（カ）」、「イ（ク）」参照）。
（シ）上記「（キ）」、「（ケ）」〜「（サ）」より、インターフェースモジュールDのD-Sub 9コネクターと、制御ケーブルEのD-Sub 9コネクターとが接続されており、アナログインターフェースモジュール出力である４相信号Ua1-、４相信号Ua2-、基準信号Ua0、４相信号Ua1+、４相信号Ua2+、基準信号Ua0+が、制御ケーブルEを介してインターフェースモジュールDから顧客の制御システムに出力され、供給電圧+5V DCが、制御ケーブルEを介して顧客の制御システムからインターフェースモジュールDに入力されているものと認められる。
エ　上記「ウ」より、引用文献２には、次のとおりの発明（以下「引用発明２」という。）が記載されているものと認められる。
「MINIRAILガイドシステムと、ガイドレール上の寸法目盛りA、キャリッジ上の光学式センサB、フレキシブルプリントC、および、ハウジングを有しているD-Sub 9コネクター付きのインターフェースモジュールDの構成からなる光学式のインクリメンタル測定システムとを含むMINISCALE PLUSと、制御ケーブルEとを有する装置であって（上記「ウ（ア）」、「ウ（コ）」参照）、
　ガイドレール、ガイドレール上の寸法目盛りA、および、キャリッジ上の光学式センサBは、リニアスケールを構成するものであり（上記「ウ（オ）」参照）、
　フレキシブルプリントCは、光学式センサBによって供給される生の信号をインターフェースモジュールDに送信するために、光学式センサBとインターフェースモジュールDとの間に電気的に接続されており（上記「ウ（ク）」参照）、
　光学式センサBによって供給される生の信号は、インターフェースモジュールDで処理され、アナログ又はデジタルの形式で顧客の制御システムに供給され（上記「ウ（キ）」参照）、
　インターフェースモジュールDのD-Sub 9コネクターと、制御ケーブルEのD-Sub 9コネクターとが接続されており、アナログインターフェースモジュール出力である４相信号Ua1-、４相信号Ua2-、基準信号Ua0、４相信号Ua1+、４相信号Ua2+、基準信号Ua0+が、制御ケーブルEを介してインターフェースモジュールDから顧客の制御システムに出力され、供給電圧+5V DCが、制御ケーブルEを介して顧客の制御システムからインターフェースモジュールDに入力されている（上記「ウ（シ）」参照）、
　装置（上記「ウ（ア）」参照）。」
３　当審の判断
（１）理由１（新規性）、理由２（進歩性）について（引用文献１を主引例とした場合）
ア　本件発明１の新規性について
　本件発明１の「分離式センサ装置」については、「前記センサユニットと別体に構成される処理ユニット」を有するセンサ装置を意味しているものとして、本件発明１を認定した。
　本件発明１と引用発明１とを対比すると、次のことがいえる。
（ア）引用発明１において、「リニアスケールを構成する」「ガイドレール」および「キャリッジ」は、本件発明１の「直線伝動素子」に相当し、引用発明１の「キャリッジ」は、本件発明１の「前記直線伝動素子の移動部材」に相当する。
（イ）引用発明１において、「装置」が「有する」「光学式センサB」が、「リニアスケールを構成する」「キャリッジ」上にあることは、「リニアスケールを構成する」「キャリッジ」上に「装置」が設置されていることを意味する。
（ウ）一般的に、光学式センサはセンサ筐体内にセンサが設置されているユニットである。それゆえ、引用発明１における「光学式センサB」は、センサ筐体と、前記センサ筐体内に設置されるセンサとを有するセンサユニットであると認められる。
（エ）上記「（ア）」〜「（ウ）」より、引用発明１の「リニアスケールを構成する」「キャリッジ上の光学式センサB」は、本件発明１の「センサ筐体と、前記センサ筐体内に設置されるセンサとを有し、前記直線伝動素子の移動部材に設置されるセンサユニット」に相当する。
（オ）引用発明１において、「光学式センサBによって供給される生の信号は、インターフェースモジュールDによって処理され」ることは、「インターフェースモジュールD」が「光学式センサBによって供給される生の信号」を「処理」する処理器を有しており、「光学式センサB」と「インターフェースモジュールD」が別体で構成されていることを意味する。それゆえ、「光学式センサBによって供給される生の信号」を「処理」する「インターフェースモジュールD」は、本件発明１の「前記センサユニットと別体に構成される処理ユニット」に相当する。
（カ）引用発明１において、「インターフェースモジュールD」に付いている「ハウジング」は、本件発明１の「処理筐体」に相当する。
（キ）一般的に、処理筐体を有する処理ユニットにおいては、処理器は処理筐体内に設置されるものである。
（ク）上記「（オ）」〜「（キ）」より、引用発明１において、「光学式センサBによって供給される生の信号」を「処理」する、「ハウジング付き」「のインターフェースモジュールD」は、本件発明１の「処理筐体と、前記処理筐体内に設置される処理器とを有し、前記センサユニットと別体に構成される処理ユニット」に相当する。
（ケ）引用発明１において、「キャリッジ上の光学式センサB、フレキシブルセンサプリントC、および、ハウジング付きでD-Sub 9コネクター付きのインターフェースモジュールDの構成からなる光学式のインクリメンタル測定システム」「を含むMINISCALE PLUSと、制御ケーブルEとを有する装置」は、上記「（オ）」より、「光学式センサB」と「インターフェースモジュールD」が別体で構成されている装置であるから、本件発明１の「分離式センサ装置」に相当する。
（コ）上記「（ア）」、「（イ）」、「（ケ）」より、引用発明１において、「リニアスケールを構成する」「キャリッジ上の光学式センサB」「を有する装置」は、本件発明１の「直線伝動素子に設置される分離式センサ装置」に相当する。
（サ）引用発明１において、「光学式センサBによって供給される生の信号をインターフェースモジュールDに送信するために、光学式センサBとインターフェースモジュールDとの間に電気的に接続されて」いる「フレキシブルセンサプリントC」は、「前記センサユニットの前記センサと前記処理ユニットの前記処理器との間に電気的に接続される接続ユニット」に相当する。
（シ）引用発明１において、「インターフェースモジュールDのD-Sub 9コネクターと、制御ケーブルEのD-Sub 9コネクターとが接続されており、アナログインターフェースモジュール出力である４相信号Ua1-、４相信号Ua2-、基準信号Ua0、４相信号Ua1+、４相信号Ua2+、基準信号Ua0+が、制御ケーブルEを介してインターフェースモジュールDから外部に出力され、供給電圧+5V DCが、制御ケーブルEを介して外部からインターフェースモジュールDに入力されている」ことは、「インターフェースモジュールD」の処理器と、外部装置との間で、「４相信号Ua1-、４相信号Ua2-、基準信号Ua0、４相信号Ua1+、４相信号Ua2+、基準信号Ua0+」、および、「供給電圧+5V DC」の入出力を行っており、該入出力を行うために、「制御ケーブルE」を介して「インターフェースモジュールD」の処理器と外部装置とを電気的に接続していることを意味する。
　してみると、引用発明１において、「インターフェースモジュールD」の処理器と外部装置とを電気的に接続する「制御ケーブルE」は、本件発明１の「前記処理ユニットの前記処理器と外部装置との間に電気的に接続される伝送ユニット」に相当する。
　以上の対比の結果をまとめると、本件発明１と引用発明１の一致点及び相違点は、次のとおりである。
＜一致点＞
「直線伝動素子に設置される分離式センサ装置であって、
　センサ筐体と、前記センサ筐体内に設置されるセンサとを有し、前記直線伝動素子の移動部材に設置されるセンサユニットと、
　処理筐体と、前記処理筐体内に設置される処理器とを有し、前記センサユニットと別体に構成される処理ユニットと、
　前記センサユニットの前記センサと前記処理ユニットの前記処理器との間に電気的に接続される接続ユニットと、
　前記処理ユニットの前記処理器と外部装置との間に電気的に接続される伝送ユニットと、を主に含む
　分離式センサ装置。」
＜相違点＞
　本件発明１は、「前記センサは、温度又は振動センサである」のに対して、引用発明１は、センサが「光学式センサB」である点。
　本件発明１と引用発明１は上記相違点において相違するので、本件発明１は、引用発明１に記載された発明ではない。
イ　本件発明１の進歩性について
　上記相違点について検討する。
　引用発明１の「光学式センサB」は、ガイドレール上の「寸法目盛りA」とともに「リニアスケール」を構成するものであって、前記「寸法目盛りA」を光学的に読み取るためのものであるから、目盛りを読み取る機能を持たない温度センサや振動センサでこれを代替することはできない。
　したがって、本件発明１は、引用発明１に基づいて当業者が容易に発明をすることができたものであるとはいえない。
ウ　本件発明５の新規性、進歩性について
　本件発明５は、本件発明１が備える構成を全て備えるものであるから、本件発明１についての判断と同様の理由により、引用発明１に基づいて当業者が容易に発明をすることができたものであるとはいえない。
（２）理由１（新規性）、理由２（進歩性）について（引用文献２を主引例とした場合）
ア　本件発明１の新規性について
　本件発明１の「分離式センサ装置」については、「前記センサユニットと別体に構成される処理ユニット」を有するセンサ装置を意味しているものとして、本件発明１を認定した。
　本件発明１と引用発明２とを対比すると、次のことがいえる。
（ア）引用発明２において、「リニアスケールを構成する」「ガイドレール」および「キャリッジ」は、本件発明１の「直線伝動素子」に相当し、引用発明２の「キャリッジ」は、本件発明１の「前記直線伝動素子の移動部材」に相当する。
（イ）引用発明２において、「装置」が「有する」「光学式センサB」が、「リニアスケールを構成する」「キャリッジ」上にあることは、「リニアスケールを構成する」「キャリッジ」上に「装置」が設置されていることを意味する。
（ウ）一般的に、光学式センサはセンサ筐体内にセンサが設置されているユニットである。それゆえ、引用発明２における「光学式センサB」は、センサ筐体と、前記センサ筐体内に設置されるセンサとを有するセンサユニットであると認められる。
（エ）上記「（ア）」〜「（ウ）」より、引用発明２の「リニアスケールを構成する」「キャリッジ上の光学式センサB」は、本件発明１の「センサ筐体と、前記センサ筐体内に設置されるセンサとを有し、前記直線伝動素子の移動部材に設置されるセンサユニット」に相当する。
（オ）引用発明２において、「光学式センサBによって供給される生の信号は、インターフェースモジュールDで処理され、アナログ又はデジタルの形式で顧客の制御システムに供給され」ることは、「インターフェースモジュールD」が「光学式センサBによって供給される生の信号」を「顧客の制御システム」に対応する「形式」の信号に「処理」する処理器を有しており、「光学式センサB」と「インターフェースモジュールD」が別体で構成されていることを意味する。それゆえ、「光学式センサBによって供給される生の信号」を「処理」する「インターフェースモジュールD」は、本件発明１の「前記センサユニットと別体に構成される処理ユニット」に相当する。
（カ）引用発明２において、「インターフェースモジュールD」が「有している」「ハウジング」は、本件発明１の「処理筐体」に相当する。
（キ）一般的に、処理筐体を有する処理ユニットにおいては、処理器は処理筐体内に設置されるものである。
（ク）上記「（オ）」〜「（キ）」より、引用発明２において、「光学式センサBによって供給される生の信号」を「処理」し、「ハウジングを有している」「インターフェースモジュールD」は、本件発明１の「処理筐体と、前記処理筐体内に設置される処理器とを有し、前記センサユニットと別体に構成される処理ユニット」に相当する。
（ケ）引用発明２において、「キャリッジ上の光学式センサB、フレキシブルプリントC、および、ハウジングを有しているD-Sub 9コネクター付きのインターフェースモジュールDの構成からなる光学式のインクリメンタル測定システム」「を含むMINISCALE PLUSと、制御ケーブルEとを有する装置」は、上記「（オ）」より、「光学式センサB」と「インターフェースモジュールD」が別体で構成されている装置であるから、本件発明１の「分離式センサ装置」に相当する。
（コ）上記「（ア）」、「（イ）」、「（ケ）」より、引用発明２において、「リニアスケールを構成する」「キャリッジ上の光学式センサB」「を有する装置」は、本件発明１の「直線伝動素子に設置される分離式センサ装置」に相当する。
（サ）引用発明２において、「光学式センサBによって供給される生の信号をインターフェースモジュールDに送信するために、光学式センサBとインターフェースモジュールDとの間に電気的に接続されて」いる「フレキシブルプリントC」は、「前記センサユニットの前記センサと前記処理ユニットの前記処理器との間に電気的に接続される接続ユニット」に相当する。
（シ）引用発明２において、「インターフェースモジュールDのD-Sub 9コネクターと、制御ケーブルEのD-Sub 9コネクターとが接続されており、アナログインターフェースモジュール出力である４相信号Ua1-、４相信号Ua2-、基準信号Ua0、４相信号Ua1+、４相信号Ua2+、基準信号Ua0+が、制御ケーブルEを介してインターフェースモジュールDから顧客の制御システムに出力され、供給電圧+5V DCが、制御ケーブルEを介して顧客の制御システムからインターフェースモジュールDに入力されている」ことは、「インターフェースモジュールD」の処理器と、「顧客の制御システム」との間で、「４相信号Ua1-、４相信号Ua2-、基準信号Ua0、４相信号Ua1+、４相信号Ua2+、基準信号Ua0+」、および、「供給電圧+5V DC」の入出力を行っており、該入出力を行うために、「制御ケーブルE」を介して「インターフェースモジュールD」の処理器と「顧客の制御システム」とを電気的に接続していることを意味する。
　してみると、引用発明２において、「インターフェースモジュールD」の処理器と「顧客の制御システム」とを電気的に接続する「制御ケーブルE」は、本件発明１の「前記処理ユニットの前記処理器と外部装置との間に電気的に接続される伝送ユニット」に相当する。
　以上の対比の結果をまとめると、本件発明１と引用発明２の一致点及び相違点は、次のとおりである。
＜一致点＞
「直線伝動素子に設置される分離式センサ装置であって、
　センサ筐体と、前記センサ筐体内に設置されるセンサとを有し、前記直線伝動素子の移動部材に設置されるセンサユニットと、
　処理筐体と、前記処理筐体内に設置される処理器とを有し、前記センサユニットと別体に構成される処理ユニットと、
　前記センサユニットの前記センサと前記処理ユニットの前記処理器との間に電気的に接続される接続ユニットと、
　前記処理ユニットの前記処理器と外部装置との間に電気的に接続される伝送ユニットと、を主に含む
　分離式センサ装置。」
＜相違点＞
　本件発明１は、「前記センサは、温度又は振動センサである」のに対して、引用発明２は、センサが「光学式センサB」である点。
　本件発明１と引用発明２は上記相違点において相違するので、本件発明１は、引用発明２に記載された発明ではない。
イ　本件発明１の進歩性について
　上記相違点について検討する。
　引用発明２の「光学式センサB」は、ガイドレール上の「寸法目盛りA」とともに「リニアスケール」を構成するものであって、前記「寸法目盛りA」を光学的に読み取るためのものであるから、目盛りを読み取る機能を持たない温度センサや振動センサでこれを代替することはできない。
　したがって、本件発明１は、引用発明２に基づいて当業者が容易に発明をすることができたものであるとはいえない。
ウ　本件発明５の新規性、進歩性について
　本件発明５は、本件発明１が備える構成を全て備えるものであるから、本件発明１についての判断と同様の理由により、引用発明２に基づいて当業者が容易に発明をすることができたものであるとはいえない。
（３）特許異議申立人の主張について
　特許異議申立人は、令和２年１２月１８日付け意見書において、「そもそも、特許権者は、引用文献１の細かい記載を指摘して反論していますが、引用文献１に開示された装置に用いられるセンサについて、引用文献１は「光学式センサ」を例示しているだけであり、「温度又は振動センサ」の適用を排除してはいません。また、上記のように、本件特許に係る分離式センサ装置と同一又は近接した技術分野に属する装置に対して適用されるセンサについて、「温度又は振動センサ」を用いることは、異議申立書に添付した甲第３号証ないし甲第６号証に記載された周知慣用技術です。これらの周知慣用技術を引用文献１や２に適用して訂正後の請求項１および５を創案することは当業者にとって容易なことであると思料します。」（５ページ４−１３行）と主張している。
　しかしながら、引用発明１及び２における「光学式センサB」は、「寸法目盛りA」を光学的に読み取るためのものであるから、単なる例示ではなく、目盛りを読み取る機能を持たない温度センサや振動センサでこれを代替することはできない。そして、甲第３号証〜甲第６号証を参酌しても、目盛りを光学的に読み取るための光学式センサを温度センサや振動センサで代替することが周知技術であったとは認められない。
　よって、特許異議申立人の主張は採用できない。
（４）小括
　以上のとおりであるから、取消理由通知に記載した取消理由により、本件発明１、５に係る特許を取り消すことはできない。
第５　取消理由通知において採用しなかった特許異議申立理由について
１　特許異議申立人が提出した証拠とその理由の概要
（１）証拠
　甲第１号証：シュネーベルガー社の製品カタログ，“MINI-X”, [online], 2017年, ［令和１年７月１５日検索］，インターネット
＜URL:https://www.schneeberger.com/fileadmin/documents/downloadcenter/01_product_catalogues_company_brochures/01_Linear-_and_profiled_guideways/02_Miniature_guideways/MINI-X_Product_catalogue_EN.pdf＞
　甲第２号証：特開２０１７−１３３９１９号公報
　甲第３号証：特開２００４−１０８４０１号公報
　甲第４号証：加藤将人，“高速静音ボールねじの開発”，NSK TECHNICAL JOURNAL，日本精工株式会社，2003年12月15日発行，No.676，p.26-32
　甲第５号証：特許第５９１１７６１号公報
　甲第６号証：特許第４７１０４５５号公報
（２）理由の概要
ア　申立ての理由（その１）
　本件訂正前の請求項１、５に係る発明は、甲第１号証に基づいて、若しくは、甲第１号証と甲第２号証及び甲第５号証に基づいて当業者が容易に発明をすることができたものであるから、上記請求項に係る特許は、特許法２９条２項の規定に違反してされたものであり、取り消されるべきものである。
イ　申立ての理由（その２）
　本件訂正前の請求項１、５に係る発明は、甲第２号証と、甲第３号証〜甲第６号証に記載された周知技術に基づいて当業者が容易に発明をすることができたものであるから、上記請求項に係る特許は、特許法２９条２項の規定に違反してされたものであり、取り消されるべきものである。
２　当審の判断
（１）申立ての理由（その１）について
　甲第１号証は、シュネーベルガー社のホームページ上に掲載されていたＰＤＦ形式の製品カタログとして示されたものであるが、この決定をした時点では、特許異議申立人が示した上記ＵＲＬにおいて甲第１号証を閲覧することはできない。
　仮に、甲第１号証が本件特許の出願前に電気通信回線を通じて公衆に利用可能であったとしても、甲第１号証は引用文献１と同じ内容を含むものであるから、本件発明１と甲第１号証に記載された発明（以下「甲１発明」という。）の一致点及び相違点は、前記第４の３（１）アで検討したのと同様である。そして、前記第４の３（１）イ及びウで検討したのと同様に、本件発明１及び５は、甲１発明に基づいて当業者が容易に発明をすることができたものであるとはいえない。
　また、目盛りを光学的に読み取るための光学式センサを温度センサや振動センサで代替することは、甲第２号証及び甲第５号証において記載や示唆がされたものではないので、本件発明１及び５が、甲１発明と甲第２号証及び甲第５号証に基づいて当業者が容易に発明をすることができたものであるともいえない。
（２）申立ての理由（その２）について
ア　甲第２号証について
（ア）甲第２号証には、以下の記載がある。（下線は当審が付した。）
「【００１３】
　図１から図６を参照する。
本実施形態に係るセンサーＡは、台座１０と、電気接続ポート２０と、センシングユニット３０と、感触ポート４０と、封止蓋５０と、を含む。
「【００１６】
　
センシングユニット３０は、台座１０に設けられており、電気接続ポート２０と電気的に接続し、少なくとも二種類の物理量センサーと、整合回路基板３３と、を含む。
　本実施形態に係る
センシングユニット３０は、二種類の物理量センサーを同時に有する。これらは、温度センサー３１及び振動センサー３２である。温度センサー３１及び振動センサー３２は、整合回路基板３３と電気的に接続し信号を整合する。
「【００２２】
　
センサーＡを直線伝動装置Ｂに組付ける際の組付け方式は、図７から図１２に示すように、センサーＡが感触ポート４０を直線伝動装置Ｂに押し付ける。
直線伝動装置ＢがボールねじＢ１である場合には、センサーＡが感触ポート４０をボールねじＢ１のナットＢ１１に押し付ける。図９及び図１０に示すように、直線伝動装置ＢがリニアガイドウェーＢ２である場合には、センサーＡが感触ポート４０をリニアガイドウェーＢ２のブロックＢ２１に押し付ける。
【００２３】
　センサーが組み付けられている直線伝動装置は、直線伝動装置ＢにセンサーＡを直接に組付けるため、直線伝動装置Ｂ自体の稼動による物理量の変化を直接かつ精確に測定可能である。
　
本実施形態では、更に、計算ユニットＣが組み付けられている。計算ユニットＣが電気接続ポート２０と電気的に接続するため、センシングユニット３０でセンシングするデータが電気接続ポート２０にキャプチャされて、計算ユニットＣがそれを計算すると、モニター値を得ることができる。
【００２４】
　本実施形態に係るセンサーＡのセンシングユニット３０は、温度センサー３１及び振動センサー３２の整合回路を含むため、直線伝動装置Ｂに関連する複数の稼動数値をセンシングして算出可能である。これらの稼動数値は下記に説明する。
【００２５】
　
計算ユニットＣにより、センシングユニット３０の振動センサー３２の振動信号を持続にキャプチャして、特徴オーダートラッキング法により、直線伝動装置Ｂの即時のバックラッシュ量の変化を求めることが可能である。
【００２６】
　
計算ユニットＣにより、センシングユニット３０の振動信号を持続にキャプチャして、極限値分析により振動量を即時に測定する。
【００２７】
　
計算ユニットＣにより、固定の時間区間において、センシングユニット３０の温度センサー３１の温度信号をキャプチャして、計算法により熱変位を算出する。
【００２８】
　
計算ユニットＣにより、センシングユニット３０の振動センサー３２の振動信号を持続的にキャプチャして、計算法により振動エネルギーによって油量が充分であるかどうかを計算して判断する。
「【図１】
」
「【図８】
」
「【図１０】
」
（イ）前記（ア）の記載をまとめると、甲第２号証には、以下の発明（以下「甲２発明」という。）が記載されていると認められる。
「直線伝動装置Ｂに組み付けられるセンサーＡであって（【００２２】）、
　前記センサーＡは、台座１０と、電気接続ポート２０と、センシングユニット３０と、感触ポート４０と、封止蓋５０と、を含み（【００１３】）、
　前記センシングユニット３０は、前記台座１０に設けられており、前記電気接続ポート２０と電気的に接続し、温度センサー３１及び振動センサー３２を有し、かつ、前記温度センサー３１及び振動センサー３２は整合回路基板３３と電気的に接続され（【００１６】）、
　直線伝動装置ＢがボールねじＢ１である場合には、前記センサーＡの前記感触ポート４０がボールねじＢ１のナットＢ１１に押し付けられ、直線伝動装置ＢがリニアガイドウェーＢ２である場合には、前記センサーＡの前記感触ポート４０がリニアガイドウェーＢ２のブロックＢ２１に押し付けられ（【００２２】）、
　前記センサーＡの前記電気接続ポート２０は、計算ユニットＣと電気的に接続され、前記センシングユニット３０でセンシングしたデータが前記電気接続ポート２０にキャプチャされて、前記計算ユニットＣがそれを計算すると、モニター値を得ることができ（【００２３】）、
　前記計算ユニットＣにより、前記振動センサー３２の振動信号をキャプチャしてバックラッシュ量の変化を求め、振動量を測定し、油量が充分であるか判断し、かつ、前記温度センサー３１の温度信号をキャプチャして熱変位を算出する（【００２５】〜【００２８】）、
　センサーＡ。」
イ　対比・判断
　本件発明１と甲２発明を対比すると、以下のとおりである。
（ア）甲２発明の「直線伝動装置Ｂ」は、本件発明１の「直線伝動素子」に相当し、甲２発明の「センサーＡ」と本件発明１の「分離式センサ装置」は、「センサ装置」である点で共通する。
　そうすると、甲２発明と本件発明１は、「直線伝動素子に設置されるセンサ装置」である点で共通する。
（イ）甲２発明の「台座１０」、「温度センサー３１及び振動センサー３２」及び「センシングユニット３０」は、それぞれ、本件発明１の「センサ筐体」、「（温度又は振動センサである）センサ」及び「センサユニット」に相当する。
　そして、甲２発明の「センシングユニット３０」は、「感触ポート４０」が押し付けられることにより、「直線伝動装置Ｂ」の移動部材である「ナットＢ１１」又は「ブロックＢ２１」に組み付けられるから、甲２発明と本件発明１は、「センサ筐体と、前記センサ筐体内に設置されるセンサとを有し、前記直線伝動素子の移動部材に設置されるセンサユニットであって、前記センサは、温度又は振動センサである、センサユニット」を含む点で共通する。
（ウ）甲２発明の「電気接続ポート２０」でキャプチャされるデータは、「センシングユニット３０でセンシングしたデータ」であって、「計算ユニットＣ」で計算してモニター値を得ることができ、振動量や熱変位等を算出することができるようなデータである。よって、「電気接続ポート２０」でキャプチャされるデータは、「計算ユニットＣ」で演算ができるように、「温度センサー３１及び振動センサー３２」で検出した生データに何らかの信号処理を施したものであると認められる。
　そうすると、甲２発明の「センシングユニット３０」が何らかの信号処理回路を有することは自明であり、当該信号処理回路は、本件発明１の「処理器」に相当する。
（エ）甲２発明の「計算ユニットＣ」は、本件発明１の「外部装置」に相当する。そして、甲２発明の「計算ユニットＣ」と「センサーＡ」の「電気接続ポート２０」を電気的に接続する配線は、本件発明１の「伝送ユニット」に相当する。
　以上の対比の結果をまとめると、本件発明１と甲２発明の一致点及び相違点は、次のとおりである。
＜一致点＞
「直線伝動素子に設置されるセンサ装置であって、
　センサ筐体と、前記センサ筐体内に設置されるセンサとを有し、前記直線伝動素子の移動部材に設置されるセンサユニットであって、前記センサは、温度又は振動センサである、センサユニットと、
　処理器と、
　前記処理器と外部装置との間に電気的に接続される伝送ユニットと、を主に含む
　センサ装置。」
＜相違点＞
　本件発明１は、「処理筐体と、前記処理筐体内に設置される処理器とを有し、前記センサユニットと別体に構成される処理ユニット」を有する「分離式センサ装置」であるのに対して、甲２発明は、「処理器」を有するものの、当該「処理器」は、「センシングユニット３０」と別体のユニットとして構成されていないため、「分離式センサ装置」とはいえない点。
　上記相違点について検討する。
　甲第３号証及び甲第４号証には、直線伝動素子であるボールねじに設けられた振動センサと増幅回路を配線で電気的に接続した構成が記載されているが、振動センサにおいて何ら信号処理が施されていないとはいえないので、「センサユニット」と「処理ユニット」を別体で構成するという上記相違点に係る構成は、甲第３号証及び甲第４号証において記載や示唆がされたものではない。
　甲第５号証及び甲第６号証には、車両用軸受装置に設けられたセンサユニットと信号処理回路を配線で電気的に接続した構成が記載されているが、センサユニットにおいて何ら信号処理が施されていないとはいえないので、「センサユニット」と「処理ユニット」を別体で構成するという上記相違点に係る構成は、甲第５号証及び甲第６号証において記載や示唆がされたものではない。また、車両用軸受装置は直線伝動素子ではない。
　したがって、上記相違点に係る構成は、甲第３号証〜甲第６号証のいずれにも記載や示唆がされていないから、本件発明１は、甲２発明と甲第３号証〜甲第６号証に基づいて当業者が容易に発明をすることができたものであるとはいえない。
　また、本件発明５は、本件発明１が備える構成を全て備えるものであるから、本件発明１についての判断と同様の理由により、甲２発明と甲第３号証〜甲第６号証に基づいて当業者が容易に発明をすることができたものであるとはいえない。
３　小括
　前記２で検討したとおり、特許異議申立書に記載した特許異議申立理由により、本件発明１、５に係る特許を取り消すことはできない。
第６　むすび
　以上のとおりであるから、取消理由通知に記載した取消理由及び特許異議申立書に記載した特許異議申立理由に照らしても、本件発明１、５に係る特許を取り消すことはできない。
　また、他に本件発明１、５に係る特許を取り消すべき理由を発見しない。
　よって、結論のとおり決定する。
【異議決定日】
令和３年１月２８日（２０２１．１．２８）
【訂正の要旨】
審決（決定）の【理由】欄参照。
（５７）【特許請求の範囲】
　【請求項１】
　直線伝動素子に設置される分離式センサ装置であって、
　センサ筐体と、前記センサ筐体内に設置されるセンサとを有し、前記直線伝動素子の移動部材に設置されるセンサユニット
であって、前記センサは、温度又は振動センサである、センサユニット
　処理筐体と、前記処理筐体内に設置される処理器とを有し、前記センサユニットと別体に構成される処理ユニットと、
　前記センサユニットの前記センサと前記処理ユニットの前記処理器との間に電気的に接続される接続ユニッ
トと
　前記処理ユニットの前記処理器と外部装置との間に電気的に接続される伝送ユニットと、を主に含む
　分離式センサ装置。
　【請求項２】
　請求項１に記載の分離式センサ装置であって、
　前記センサ筐体は、収容座と、封止蓋と、を有し、
　前記センサは、前記収容座内に設置され、
　前記封止蓋は、前記収容座の一端を封止するように設けられ、
　前記収容座は、収容部と、前記収容部の一端から外向きに突出する外伸部と、を有し、
　前記センサは、前記外伸部内に位置し、
　前記収容座は、前記直線伝動素子の前記移動部材に固定接続され、
　前記移動部材は、凹陥形成された伸入溝を有し、
　前記外伸部は、前記伸入溝内に入り込む
　分離式センサ装置。
　【請求項３】
　請求項２に記載の分離式センサ装置であって、
　前記センサユニットの前記センサ筐体は、前記移動部材の軸方向の面に固定接続される
　分離式センサ装置。
　【請求項４】
　請求項２に記載の分離式センサ装置であって、
　前記センサユニットの前記センサ筐体は、前記移動部材の径方向の面に固定接続される
　分離式センサ装置。
　【請求項５】
　請求項１に記載の分離式センサ装置であって、
　前記センサは、センサ回路基板と、センサチップと、を有し、
　前記センサ回路基板は、前記センサ筐体内に設置され、
　前記センサチップは、前記センサ回路基板に設置され、
　前記処理器は、処理回路基板と、処理チップと、を有し、
　前記処理回路基板は、前記処理筐体内に設置され、
　前記処理チップは、前記処理回路基板に設置され、
　前記処理チップは、演算に用いられる
　分離式センサ装置。